(57)【特許請求の範囲】
【請求項１】
送信機から送られてくる電波を受信する複数のアンテナと、
これら各アンテナがそれぞれ出力する各受信信号が入力され、これら各受信信号のうちのいずれか１つを切替制御信号に従って選択して出力する切替選択部と、
この切替選択部の出力する受信信号が入力され、この受信信号に所定の処理を施して出力する受信部と、
この受信部に入力される受信信号の或る品質を監視して、この品質が所定の基準値以下になったとき、上記切替選択部が現在選択している受信信号とは別の受信信号を選択する状態に、上記切替制御信号を生成して上記切替選択部に供給する切替制御部と、
を具備し、
上記切替選択部は、上記各アンテナにそれぞれ対応する複数の半導体スイッチング素子を備え、
これら各半導体スイッチング素子は、それぞれ、少なくとも２つの端子を有し、これら各端子の一方がそれぞれに対応する上記アンテナに直接または間接的に接続され、他方の端子が上記受信部の入力側に直接または間接的に接続され、
これら各半導体スイッチング素子が、それぞれ、上記切替制御信号に従って、上記各端子間を電気的に接続または非接続とすることにより、それぞれに対応する上記アンテナから出力される受信信号を選択または非選択とする状態に構成され、
さらに、上記切替選択部は、現在選択している受信信号以外の非選択状態にある受信信号についても、該現在選択している受信信号を上記受信部に導通させる際の導電率よりも低い導電率であって、該非選択状態を形成しているそれぞれの上記半導体スイッチング素子の上記各端子間の絶縁度に応じた導電率により、上記受信部に導通させる状態に構成された、
ダイバシティ受信機。
【請求項２】
上記半導体スイッチング素子が、ダイオードである、請求項１に記載のダイバシティ受信機。
【請求項３】
上記切替選択部が、上記非選択状態にある受信信号を出力しているアンテナを終端する終端手段を備えた、請求項１または２に記載のダイバシティ受信機。
【請求項４】
ワイヤレス・マイクロホン・システム用である、請求項１ないし３のいずれかに記載のダイバシティ受信機。
【発明の詳細な説明】
【０００１】
【発明の属する技術分野】
本発明は、複数の受信アンテナを備え、これら各アンテナのうち送信機から送られてくる電波を良好に受信するものを切替選択して使用する所謂切替型の空間ダイバシティ（＝スペースダイバシティ：ＳＤ）受信機に関し、特に、各アンテナに対して復調処理等を行う受信部を１つのみとし、この受信部の入力側に接続するアンテナを切替選択する所謂アンテナダイバシティ方式の受信機に関する。
【０００２】
【従来の技術】
上記アンテナダイバシティ方式の受信機は、各アンテナ毎に受信部を備えこれら各受信部によってそれぞれ復調処理等した後の信号を切替選択するという所謂オーディオダイバシティ方式の受信機に比べて、上記受信部を単一とする分、受信機全体を低コスト化できる等の利点がある。従って、このアンテナダイバシティ方式の受信機は、例えばワイヤレス・マイクロホン・システム等を始めとする各種無線通信システムに、数多く利用されている。このアンテナダイバシティ方式の受信機の概略構成を、図３に示す。
【０００３】
同図に示すように、この受信機は、複数、例えばＡ系統とＢ系統との２本の受信アンテナ１、１を有している。これら各アンテナ１、１は、切替回路２の入力側に接続されている。切替回路２は、後述する切替制御信号に従って、各アンテナ１、１のうちの一方を選択し、この選択して得たアンテナ１の出力する受信信号（高周波信号）を、受信部３に入力する。受信部３は、これに入力される受信信号を例えば増幅し、復調処理等することにより、元の信号、例えばこの受信機がワイヤレス・マイクロホン・システム用の受信機である場合には音声信号、を再現して、出力端子４から出力する。
【０００４】
更に、この受信機は、受信部３に入力される受信信号の品質、例えば信号レベル、を監視する制御部５を有している。制御部５は、この監視して得た上記受信信号の信号レベルと所定の基準レベルとを比較して、当該受信信号の信号レベルが当該基準レベル以下になったとき、切替回路２によって現在選択しているアンテナ１とは別のアンテナ１を選択するように、上記切替制御信号を生成して、切替回路２に供給する。これにより、現在、無線通信に使用しているアンテナ１による電波の受信電界強度が低下したときに（詳しくは、このアンテナ１から受信部３に入力される受信信号の信号レベルが上記基準レベル以下となったときに）、自動的に他方のアンテナ１を用いての無線通信動作に切り替わる。よって、図示しない送信機との間で、例えばデッドポイント等の影響を受けずに、常に安定した無線通信を実現できる。なお、同図は、切替回路２によってＡ系統のアンテナ１が選択されている状態を示す。
【０００５】
ところで、上記切替回路２としては、各アンテナ１、１の切替動作を俊敏に行うために、一般に、図示しないＰｉＮダイオードを用いたスイッチング回路が使用される。具体的には、各アンテナ１、１と受信機３の入力側との間に、それぞれ、上記ＰｉＮダイオードを直列に設ける。そして、これら各ＰｉＮダイオードを、それぞれＯＮ／ＯＦＦすることにより、各アンテナ１、１と受信機３の入力側との間を、それぞれ電気的に接続／非接続とし、即ち各アンテナ１、１の選択／非選択状態を形成する。従来は、上記ＰｉＮダイオードとして、ＯＦＦ時のアイソレーション（入出力絶縁度）Ｄが、例えばＤ＝４０ｄＢ程度という、比較的に大きなアイソレーションＤを有するものを用いていた。これは、非選択状態にあるアンテナ１と受信機３の入力側との間を、極力完璧に近い程度に絶縁するためである。
【０００６】
ここで、例えば、今、上記図３のように切替回路２がＡ系統のアンテナ１を選択している状態にあるとする。そして、この状態において、当該Ａ系統のアンテナ１から受信部３に入力される受信信号の信号レベルが上記基準レベル以下となり、これによって、制御部５が、例えば図４（ａ）に示すように、Ｂ系統のアンテナ１を選択する旨の制御信号（立ち下がりの信号）を、切替回路２に供給するとする。すると、同図（ｂ）に示すように、Ａ系統側のＰｉＮダイオードがＯＦＦすると共に、同図（ｃ）に示すように、Ｂ系統側のＰｉＮダイオードがＯＮする。
【０００７】
ところが、このとき、各ＰｉＮダイオードのＯＮ／ＯＦＦ動作が俊敏である等の理由により、Ａ系統側のＰｉＮダイオードがＯＦＦしてからＢ系統側のＰｉＮダイオードがＯＮするまで、瞬間的ではあるが、或る時間ｔが掛かることがある。この場合、当該時間ｔのあいだ、受信部３に対していずれのアンテナ１、１も接続されていない状態が形成されることになる。そして、この状態が、同図（ｄ）に符号Ｎで示すように、出力端子４から出力される信号に、各ＰｉＮダイオードのアイソレーションＤに応じた大きさＤ’のノイズとなって現れる。従って、図３の受信機が、例えばワイヤレス・マイクロホン・システム用のものである場合には、切替回路２が選択するアンテナ１、１を切り替える度に、上記大きさＤ’のノイズＮが出力されて、聴感上、大変耳障りであり、非常に不快な思いをするという問題がある。この問題は、Ｂ系統のアンテナ１が選択されている状態から、Ａ系統のアンテナ１を選択するよう切り替わる場合も、同様である。
【０００８】
更に、上記各アンテナ１、１の切替時には、それぞれの出力する受信信号に位相不連続が発生することがある。そして、この位相不連続が発生した場合にも、これが上記と同様のノイズとなって出力される。この位相不連続によるノイズは、例えば、上記各ＰｉＮダイオードのＯＮ／ＯＦＦタイミングのズレ（即ち上記時間ｔ）を電気的に無くしたとしても発生するものである。
【０００９】
この問題を解決する手段として、例えば、コンデンサ等を利用した遅延回路により上記切替制御信号を鈍化（ディレイ）させる方法、が考えられる。しかし、この方法によれば、切替制御信号を鈍化する分だけ、切替回路２により各アンテナ１、１を切り替えるタイミングも遅くなる。これでは、各アンテナ１、１の切替動作を俊敏に行うために上記ＰｉＮダイオードを用いる意味が脱却され、ひいては、各アンテナ１、１による電波の受信状態に応じて実際に無線通信に使用するアンテナ１を適宜切り替えると言うダイバシティ受信機本来の機能を実現できなくなる。
【００１０】
【発明が解決しようとする課題】
即ち、本発明が解決しようとする問題点は、上記従来技術によれば、安定した無線通信を実現するために各アンテナ１、１の切替動作を俊敏に行うと、この切替時に出力される上記ノイズＮの影響により、聴感上、不快な思いをすることがある、という点である。
【００１１】
また、上記図３の構成では、各アンテナ１、１のうち切替回路２によって選択されていないアンテナ１（例えば同図においてＢ系統のアンテナ１）については、その後段に何らの回路も接続されておらず、即ち開放状態にある。従って、各アンテナ１、１の切替動作時に、切替回路２の入力側において、急激なインピーダンス変化が生じる。これにより、各アンテナ１、１内に反射波が発生して、受信機の無線通信動作が不安定になるという問題もある。
【００１２】
そこで、本発明は、実際に無線通信に使用するアンテナを俊敏に切り替えることによって常に安定した無線通信を実現しつつも、当該アンテナの切替時に出力されるノイズの影響を低減できる受信機、を提供ことを目的とする。また、アンテナの切替時において、上記反射波が発生するのを抑制することも、本発明の目的である。
【００１３】
【課題を解決するための手段】
上記の目的を達成するために、本発明は、送信機から送られてくる電波を受信する複数のアンテナと、
これら各アンテナがそれぞれ出力する各受信信号が入力され、これら各受信信号のうちのいずれか１つを切替制御信号に従って選択して出力する切替選択部と、
この切替選択部の出力する受信信号が入力され、この受信信号に所定の処理を施して出力する受信部と、
この受信部に入力される受信信号の或る品質を監視して、この品質が所定の基準値以下になったとき、上記切替選択部が現在選択している受信信号とは別のいずれか１つの受信信号を選択する状態に、上記切替制御信号を生成して上記切替選択部に供給する切替制御部と、
を具備する。
そして、上記切替選択部は、現在選択している受信信号以外の非選択状態にある受信信号についても、当該現在選択している受信信号を受信部に導通させる際の導電率よりも低い所定の導電率で、当該受信部に導通させるように構成する。
【００１４】
本発明において、例えば、今、切替選択部が、或るアンテナから入力される受信信号を、選択しているとする。この或るアンテナの受信信号は、切替選択部を介して、受信部に入力される。受信部は、これに入力された受信信号に所定の処理、例えば増幅や復調処理等、を施して、例えば元の信号を再現して出力する。
【００１５】
更に、切替制御部が、受信部に入力される受信信号の或る品質、例えば当該受信信号の信号レベル、を監視して、この受信信号の信号レベルと所定の基準値とを比較する。なお、ここで言う基準値としては、例えば、上記受信信号の信号レベルから、上記或るアンテナが相手方の送信機から送られてくる電波を十分な受信電界強度で受信していると見なすことのできるレベルの最低値、を設定する。従って、切替制御部は、上記或るアンテナの受信信号の信号レベルが上記基準値以下になったとき、当該或るアンテナによれば安定した無線通信を実現できないと判断する。そして、切替制御部は、切替選択部により現在選択している上記或るアンテナの受信信号とは別のアンテナから入力される受信信号を選択するよう、当該切替選択部を制御する（詳しくは、この制御を実現するための切替制御信号を生成して切替選択部に供給する）。これにより、受信機は、上記別のアンテナを用いての無線通信動作に切り替わり、相手方の送信機との間で安定した無線通信を実現できる。
【００１６】
ところで、切替選択部によって上記或るアンテナを選択している状態から別のアンテナを選択する状態に遷移するまでの間には、瞬間的ではあるが、或る程度の時間が掛かることがある。従って、この間においては、いずれのアンテナも選択されていない状態となり、換言すれば、受信部に対していずれのアンテナの受信信号も入力されていない状態となる。しかしながら、本発明における切替選択部は、非選択状態にあるアンテナの受信信号についても、現在選択しているアンテナの受信信号を受信部に導通させるよりも低い所定の導電率で、受信部に導通させるよう構成されている。従って、上記のようにいずれのアンテナも選択されていない状態であっても、各アンテナの受信信号は、僅かではあるが、切替選択部を介して、受信部に入力される。よって、このいずれのアンテナも選択されていない状態となることにより受信部からノイズが出力されるが、この状態において、受信部に対して何ら受信信号が入力されない場合に比べて、当該ノイズのレベルを相対的に低減できる。
【００１７】
また、上記各アンテナの切替時には、それぞれの出力する各受信信号の位相に不連続が発生し、この位相不連続によっても、上記と同様のノイズが出力されることがある。しかし、本発明によれば、この位相不連続が生じたとしても、その間、僅かではあるが、各アンテナの出力する各受信信号がそれぞれ混合された状態で受信部に入力される。従って、この位相不連続によるノイズも、上記と同様、相対的に目立ち難くなる。
【００１８】
なお、本発明における上記切替選択部は、各アンテナにそれぞれ対応する複数の半導体スイッチング素子を備えたものであってもよい。具体的には、各半導体スイッチング素子として、それぞれ、少なくとも２つの端子を有し、これら各端子間を、上記切替制御信号に従って電気的に接続または非接続とするものを用いる。そして。これら各端子の一方を、それぞれに対応するアンテナに直接または間接的に接続し、他方の端子を、受信部の入力側に直接または間接的に接続する。このようにすれば、上記切替制御信号に従って、各アンテナを選択または非選択状態とすることができる。そして、各半導体スイッチング素子として、上記各端子間を電気的に非接続状態としたときのこれら各端子間の絶縁度が比較的に小さい（所謂漏れ電流の大きい）ものを使用すれば、各アンテナが非選択状態にあるときに、これら各アンテナの出力する受信信号を上記比較的に小さい絶縁度に応じた導電率により受信部に入力できる。
【００１９】
上記半導体スイッチング素子は、ダイオードとすることができる。特に、上記切替選択部における切替動作を俊敏に行う場合には、ＰｉＮダイオードを用いるのが望ましい。
【００２０】
更に、切替選択部は、非選択状態にあるアンテナを終端する終端手段を備えるのが望ましい。この終端手段は、例えば、任意のアンテナが非選択状態となったときに、このアンテナと接地電位との間を所定の終端抵抗値を有する抵抗器で接続することにより構成できる。このように、非選択状態にあるアンテナを終端すれば、切替選択部が各アンテナを切り替えたとき、当該切替選択部の入力側におけるインピーダンスの急激な変化を抑制でき、ひいては、このインピーダンス変化による反射波の影響を低減できる。
【００２１】
【発明の実施の形態】
本発明の一実施の形態について、図１及び図２を参照して説明する。なお、本実施の形態に係る受信機は、概略構成的には、上述した図３と同様である。ただし、本実施の形態の受信機は、切替回路２内の構成に、上述した従来技術とは異なり、かつ、本実施の形態特有の特徴を有している。この切替回路２内の構成を具体化したものを、図１に示す。
【００２２】
同図に示すように、本実施の形態の受信機は、切替回路２内に、２つのＰｉＮダイオード２１、２２を有しており、このうち一方のＰｉＮダイオード２１のアノード端子は、Ａ系統のアンテナ１に接続されており、他方のＰｉＮダイオード２２のアノード端子は、Ｂ系統のアンテナ１に接続されている。そして、これら各ＰｉＮダイオード２１、２２の各カソード端子は、それぞれに共通の直流カットコンデンサ２３を介して受信部３の入力側に接続されると共に、それぞれに共通の抵抗器２４を介して接地電位（ＧＮＤ）に接続されている。なお、この抵抗器２４は、後述するが、各ＰｉＮダイオード２１、２２をＯＮする際の駆動用抵抗器として機能する。
【００２３】
更に、上記Ａ系統側のＰｉＮダイオード２１のアノード端子は、これとは別のＰｉＮダイオード２５のカソード端子に接続されている。そして、このＰｉＮダイオード２５のアノード端子は、後述する終端用抵抗器２６を介して、この切替回路２の駆動用電源Ｖccに接続されると共に、直流カットコンデンサ２７を介して接地電位に接続されている。なお、駆動電源Ｖccと接地電位との間には、雑音除去用のコンデンサ２８と抵抗器２９とが並列に接続されている。また、ＰｉＮダイオード２５のカソード端子は、このＰｉＮダイオード２５をＯＮする際の駆動用抵抗器３０及び直流カットコンデンサ３１を介して、接地電位に接続されている。そして、これら抵抗器３０とコンデンサ３１との接続点に、後述する制御部５の第１制御用端子５１が、接続されている。
【００２４】
このＡ系統のＰｉＮダイオード２１と同様に、Ｂ系統側のＰｉＮダイオード２２のアノード端子は、これとは別のＰｉＮダイオード３２のカソード端子に接続されている。そして、このＰｉＮダイオード３２のアノード端子は、後述する終端用抵抗器３３を介して、上記駆動用電源Ｖccに接続されると共に、直流カットコンデンサ３４を介して接地電位に接続されている。また、ＰｉＮダイオード３２のカソード端子は、このＰｉＮダイオード３２をＯＮする際の駆動用抵抗器３５及び直流カットコンデンサ３６を介して、接地電位に接続されている。そして、これら抵抗器３５とコンデンサ３６との接続点に、制御部５の第２制御用端子５２が、接続されている。
【００２５】
制御部５は、上記第１及び第２の各制御用端子５１、５２から、切替回路２を制御するための切替制御信号として、例えば、上記駆動用電源Ｖccの電圧と略同電位のＨ（ハイ）レベル信号及び接地電位と同電位のＬ（ロー）レベル信号を交互に出力する。具体的には、例えば第１の制御用端子５１からＨレベル信号を出力しているときには、第２の制御用端子５２からＬレベル信号を出力する。一方、第１の制御用端子５１からＬレベル信号を出力しているときには、第２の制御用端子５２からＨレベル信号を出力する。なお、このように２つの制御用端子５１、５２を設けなくても、いずれか一方の制御用端子５１または５２のみを設けてもよい。この場合、当該一方の制御用端子５１または５２の出力信号を反転する反転回路を設ければ、上記２つの制御用端子５１、５２を設けるのと同様の作用を奏する。
【００２６】
なお、本実施の形態においては、各アンテナ１、１と受信部３の入力側との間にそれぞれ直列に設けた上記各ＰｉＮダイオード２１、２２として、意図的に、ＯＦＦ時のアイソレーションＥが、例えばＥ＝１５ｄＢ程度という、比較的に小さいアイソレーションＥを有するものを用いる。このように、故意に、アイソレーションＥの小さい（換言すればＯＦＦ時の漏れ電流の大きい）ＰｉＮダイオード２１、２２を用いることが、本実施の形態の最大の特徴である。
【００２７】
上記のように構成された受信機において、例えば、今、制御部５の第１制御用端子５１からＨレベル信号が出力されており、第２制御用端子５２からＬレベル信号が出力されているとする。この場合、Ａ系統について説明すると、上記第１制御用端子５１から出力されるＨレベル信号が、抵抗器３０を介してＰｉＮダイオード２１のアノード端子及びＰｉＮダイオード２５のカソード端子に供給される。これにより、ＰｉＮダイオード２５については、そのアノード端子とカソード端子とが略同電位となるため、ＯＦＦ状態となる。そして、ＰｉＮダイオード２１については、そのアノード端子とカソード端子との間に電位差が生じるので、当該ＰｉＮダイオード２１自体及び駆動用抵抗器２４を介して接地電位に電流が流れ込み、ＯＮ状態となる。
【００２８】
一方、Ｂ系統について説明すると、上記制御部５の第２制御用端子５２から出力されるＬレベル信号が、抵抗器３５を介してＰｉＮダイオード２２のアノード端子及びＰｉＮダイオード３２のカソード端子に供給される。これにより、ＰｉＮダイオード３２については、そのアノード端子とカソード端子との間に電位差が生じることにより、上記駆動用電源Ｖccから抵抗器３３、当該ＰｉＮダイオード３２、駆動用抵抗器３５及び制御部５内を介して、接地電位に電流が流れ込み、ＯＮ状態となる。そして、ＰｉＮダイオード２２については、そのアノード端子とカソード端子とが略同電位になるので、ＯＦＦ状態となる。
【００２９】
従って、上記のように制御部５の第１制御用端子５１からＨレベル信号が出力され、第２制御用端子５２からＬレベル信号が出力されている状態においては、Ａ系統のアンテナの出力する受信信号が、ＰｉＮダイオード２１及びコンデンサ２３を介して受信部３に入力され、即ちＡ系統のアンテナ１が選択される状態が形成される。
【００３０】
ここで、上記Ａ系統のアンテナ１から受信部３に入力される受信信号の信号レベルが上述した基準レベル以下となり、これによって、制御部５が、上記とは反対に、第１制御用端子５１からＬレベル信号を出力すると共に、第２制御用端子５２からＨレベル信号を出力するとする。この場合、上記とは反対に、Ｂ系統のアンテナの出力する受信信号が、ＰｉＮダイオード２２及びコンデンサ２３を介して受信部３に入力され、即ちＢ系統のアンテナ１が選択される状態が形成される。
【００３１】
ところが、上記アンテナ切替時において、例えば図２に示すように、上述した従来技術と同様、短時間ｔではあるが、いずれのアンテナ１、１も選択されていない状態が形成されることがある。具体的には、同図（ａ）に示す切替制御信号（同図は、制御部５の第１制御用端子５１から出力される信号を表す）が切替回路２に供給されることにより、同図（ｂ）に示すようにＡ系統側のＰｉＮダイオード２１がＯＦＦした後、同図（ｃ）に示すようにＢ系党側のＰｉＮダイオード２２がＯＮされるまでの時間ｔのあいだ、いずれのアンテナ１、１も受信部３に接続されない状態が形成される。従って、同図（ｄ）に示すように、出力端子４から出力される信号に、上記各ＰｉＮダイオード２１、２２のアイソレーションＥに応じた大きさＥ’のノイズＮが現れる。
【００３２】
しかし、本実施の形態においては、上記各ＰｉＮダイオード２１、２２として、ＯＦＦ時における各端子間のアイソレーションＥがＥ＝１５ｄＢと小さいものを使用しているので、僅かではあるが非選択状態にあるアンテナ１からもその受信信号が受信部３に入力される。従って、非選択状態にあるアンテナ１と受信機３とを極力完璧に近い程度に絶縁するためにＯＦＦ時のアイソレーションＤがＤ＝４０ｄＢ（＞Ｅ）と大きいＰｉＮダイオードを用いる上述した従来技術に比べて、上記ノイズＮ自体のレベルＥ’が遥かに小さくなる（Ｅ’＜Ｄ’）。よって、このノイズＮの影響を軽減でき、例えばこの受信機がワイヤレス・マイクロホン・システム用のものである場合には、このノイズＮが出力されることにより、聴感上、不快な思いをすることはない。このことは、Ｂ系統のアンテナ１が選択されている状態から、Ａ系統のアンテナ１を選択するよう切り替わる場合も、同様である。
【００３３】
また、上記各アンテナ１、１の切替時には、それぞれの出力する各受信信号の位相に不連続が発生することがある。そして、この位相不連続によっても、上記と同様のノイズが出力される。しかし、本実施の形態によれば、この位相不連続が生じたとしても、その間、僅かではあるが、各アンテナ１、１の出力する各受信信号がそれぞれ混合された状態で受信部３に入力される。これにより、当該位相不連続により発生するノイズも、上記と同様、相対的に目立ち難くなる。
【００３４】
更に、図１の構成によれば、例えばＰｉＮダイオード２５がＯＮ状態になったとき、即ちＡ系統のアンテナ１が非選択状態にあるとき、当該アンテナ１の受信信号がＰｉＮダイオード２５を介して抵抗器２６に流れ込む。従って、この抵抗器２６が、当該アンテナ１の終端抵抗として作用する。よって、このアンテナ切替時におけるインピーダンスの急激な変化を抑制でき、ひいては上述した反射波による影響を抑制できる。このことは、Ｂ系統側についても同様である。即ち、ＰｉＮダイオード３２がＯＮ状態になると、抵抗器３３が、Ｂ系統のアンテナ１用の終端抵抗として作用する。
【００３５】
本実施の形態においては、上記各ＰｉＮダイオード２１、２２のＯＦＦ時におけるアイソレーションＥを、Ｅ＝１５ｄＢとしたが、これは飽くまで一例であって、この値に限定されるものではない。また、図１に示す切替回路２の構成についても、これと同様の作用及び効果を奏するのであれば、他の回路構成としてもよい。例えば、上記各ＰｉＮダイオード２１、２２に代えて、他の半導体スイッチング素子を用いることもできる。
【００３６】
そして、Ａ系統及びＢ系統という２本のアンテナ１、１を有する受信機について説明したが、３本以上のアンテナを有するダイバシティ受信機にも、本発明を応用できる。また、本実施の形態は、ワイヤレス・マイクロホン・システム以外の各種無線通信システムに応用できる。
【００３７】
【発明の効果】
以上のように、本発明によれば、切替選択部によりアンテナを切り替えたときに、いずれのアンテナも選択されていない状態が形成されることにより受信部からノイズが発生するが、このノイズ自体のレベルを低減できる。また、切替選択部を制御するための切替制御信号を鈍化させるようなこともないので、各アンテナによる電波の受信状態に応じて、実際に無線通信に使用するアンテナを適宜俊敏に切り替えることができる。従って、このアンテナの俊敏な切替動作により常に安定した無線通信を実現しつつ、当該切替動作時に発生するノイズの影響を低減できると言う効果がある。そして、このアンテナ切替時の各受信信号の位相不連続により発生するノイズについても、その影響を低減することができる。
【図面の簡単な説明】
【図１】本発明の一実施の形態を示す電気回路図である。
【図２】同実施の形態の各要所部分における動作タイミングを示す図である。
【図３】従来のダイバシティ受信機の概略構成を示す図である。
【図４】従来のダイバシティ受信機における各要所部分の動作タイミングを示す図である。
【符号の説明】
１  受信アンテナ
２  切替回路
３  受信部
５  制御部
【図１】
0004059611.tif 000002
【図２】
0004059611.tif 000003
【図３】
0004059611.tif 000004
【図４】
0004059611.tif 000005